(57)【要約】【課題】  ディスク状記録再生装置の蓋開閉機構を簡単な構造で動作確実なものとする。【解決手段】  ディスク蓋に設けられるロック爪に係合し、記録再生装置本体側に設けられる蓋開閉機構の、ストッパ爪を有するスライド部材４８と、スライド部材４８を所定位置で摺動制限する回動レバー４９とをベースプレート５１に立設する回動軸５５を、かしめ軸５５ａと中間軸５５ｂの２つの部品から構成し、かしめ軸５５ａのフランジ部５５-1と中間軸５５ｂのフランジ部５５-4とで所定の間隙を形成するようにし、かしめ軸５５ａの軸部５５-5をベースプレート５１にかしめて固定する際に、かしめ力による部材の変形が回動レバー４９の回動動作に支障を生じないようにした。【選択図】      図１
2006228290.tif 000002
【特許請求の範囲】
【請求項１】
ターンテーブルに着脱自在に装着されるディスク状記録媒体を回転駆動するテーブル回転装置と、該テーブル回転装置により回転駆動されている前記ディスク状記録媒体に対して情報信号を記録又は再生するピックアップ装置と、該ピックアップ装置と前記テーブル回転装置と前記ターンテーブルが配設されるディスク収納部とを有する外装ケースと、該外装ケースに、前記ディスク収納部を覆い開閉自在に取り付けられたディスク蓋と、前記ディスク収納部を閉じた状態で前記ディスク蓋をロック状態にすると共に、該ロック状態の解除を行うことができる蓋開閉機構と、を備えたディスク状記録媒体の記録再生装置において、
前記蓋開閉機構を、
前記ディスク蓋に取り付けられたロック爪と、
前記外装ケースに対して固定されるベースプレートと、該ベースプレートに設けられるガイドピンにより摺動自在とされストッパ爪と係合片を有するスライド部材と、該スライド部材上に配され、前記ベースプレートに設けられ前記スライド部材の摺動ガイドをなす回動軸と、該回動軸の周りに回動自在とされ、前記係合片と係合し前記スライド部材の移動を制限するとき前記ディスク蓋の前記ロック状態を解除とし、前記ロック爪により入力部が押圧され前記係合片の係合が解除されて前記ロック爪により前記ディスク蓋が前記ロック状態とされる回動レバーと、前記スライド部材を移動させ前記ストッパ爪を前記ロック爪から離反させ前記ベースプレートに固定されるモータ組立体と、前記ストッパ爪を前記ロック状態の方向に付勢するコイルバネとを備える係合機構と、
から構成して前記ロック爪を前記ストッパ爪に係合・離脱自在とし、
前記係合機構の前記回動軸を、
フランジ部と前記回転レバーの回動軸部を有する頭部と前記ベースプレートに固定するための軸部とを有し、該回動軸部の径を前記回転レバーの回動孔径より僅か大きく形成し、前記回動軸部の長さを前記回転レバーの厚さより大きく形成したカシメ軸と、
前記軸部が挿入される貫通孔とフランジ部とを有すると共に、前記カシメ軸と前記ベースプレートとの間に配設され前記スライド部材のガイドとなされる摺動軸部を有し、該摺動軸部の径を前記スライド部材の長孔の幅より僅か大きく形成し、前記摺動軸部の長さを前記スライド部材の厚さより大きく形成した中間軸とから構成した
ことを特徴とするディスク状記録媒体の記録再生装置。
【発明の詳細な説明】
【技術分野】
【０００１】
本発明は、外装ケースに開閉自在に取り付けられたディスク蓋のロックとそのロック解除を行う蓋開閉機構を備えたディスク状記録媒体の記録再生装置に関する。
【背景技術】
【０００２】
ＣＤ（Compact Disc），ＭＤ（Mini Disc），ＤＶＤ（Digital Versatile Disc）など小径のディスク状記録媒体への記録の際、この記録されたデータへのアクセスを再生のときに容易に行うことができるようにするため、例えば楽曲データなどのコンテンツデータを記録した後ディスク状記録媒体の内周部（リードイン）の領域にコンテンツデータについてのＴＯＣ（Table Of Contents）を記録するようにしている。
このため、ディスク状記録媒体の記録再生装置では、小径のディスク状記録媒体へ楽曲データなどのコンテンツデータの記録中だけでなく、楽曲データなどを記録後も少しの間ディスク状記録媒体の取出しなどの操作を行うことができないようにディスク蓋のロック機構が備えられている。
このロック機構は、ディスク蓋と記録再生機能が備えられる外装とに設けられるロック爪と被ロック爪とから構成され、これらが機械的に係合することでロック状態またはロック解除状態とするようになされる。ここで係合の際の機械的な動作が、電気信号によって制限できるようになされコンテンツデータ及びＴＯＣデータの記録後に、この機械的な動作が有効とされディスク蓋のロック解除状態が実現される。
【０００３】
従来の、この記録再生装置としては、例えば、特許文献１に記載されているようなものがある。特許文献１にはクラッチ機構、クラッチ機構付きロック機構、ケース蓋体ロック機構を備える収納装置、およびケース蓋体ロック機構を備えるポータブル型ミニディスク（登録商標）レコーダなどのディスク記録再生装置に関するものが開示されている。そして、この特許文献１に記載されているクラッチ機構は、機構ベース部と、この機構ベース部の一面側に重ねて配置され、それぞれ一方向にスライド可能にこの機構ベース部に支持された第１レバーおよび第２レバーと、第１レバーと第２レバーを連結するクラッチ用ばねとを備えたものである。また、この特許文献１に記載されているディスク記録再生装置は、機構ベース部と、この機構ベース部の一面側に重ねて配置され、それぞれ一方向にスライド可能にこの機構ベース部に支持された第１レバーおよび第２レバーと、第１レバーと第２レバーを連結するクラッチ用ばねと、第１レバーまたは第２レバーと機構ベース部を連結するロック用ばねとを備えたロック機構を備え、そのロック機構によってケース上蓋がロックされるものである。
【０００４】
そして、シャーシ外枠（機構ベース部）の外側にオープンレバーおよびロックレバーとが重ねて配置され、オープンレバーおよびロックレバーにはそれぞれ２つの長孔が形成される。ロックレバーの長孔を介してシャーシ外枠に挿入された軸と、オープンレバーの長孔を介してシャーシ外枠に挿入された軸とがかしめられることによってオープンレバーおよびロックレバーがシャーシ外枠に支持される。このとき、かしめる軸には段差が設けられ、最も細い軸部をシャーシ外枠に挿入して、突出部を塑性変形させて潰してかしめるようにしている。なお、ロックレバーのロック状態／ロック解除状態での動作制限は、電気的に軸周りに回動駆動される制動レバーにより行われる。
このような構成を有するクラッチ機構およびディスク記録再生装置によれば、クラッチ機構の部品点数と組立工数を削減することができ、製造コストを下げることができるとともに、機構全体の小型化と高強度化を実現することができる。
【特許文献１】特開２００４−１７６７８３号公報（２頁，図１，図３）
【発明の開示】
【発明が解決しようとする課題】
【０００５】
しかしながら、特許文献１に記載されている記録再生装置においては、オープンレバーおよびロックレバーはシャーシ外枠にかしめにより固定支持されるため、オープンレバーおよびロックレバーのスライド動作を妨げないように比較的大きな厚さ方向の隙間を設ける必要があり、蓋体の開閉におけるオープンレバーの操作のときに、隙間によるがたのため操作感がよくない不都合があった。
【０００６】
また、本願出願人は、先の出願（特願２００３−４１９８０４号）において、ディスク蓋のロックとそのロック解除を行う蓋開閉機構を備えた撮像装置を提案している。この先の出願は、外装ケースに開閉自在に取り付けられたディスク蓋のロックとそのロック解除を行う蓋開閉機構を備えた撮像装置に関し、特に、蓋開閉機構を外装ケース内のディスクドライブ装置近傍の空き領域に配置し、装置の小型化、薄型化を可能とした撮像装置に関して行ったものである。
【０００７】
この先の出願の撮像装置は、ターンテーブルに着脱可能に装着されるディスク状記録媒体を回転駆動するテーブル回転装置と、このテーブル回転装置により回転駆動されるディスク状記録媒体に対して、少なくともレンズ装置を介して入力される被写体の光に対応した画像の情報信号を記録可能なピックアップ装置と、テーブル回転装置及びピックアップ装置が収納されると共にターンテーブルが配置されるディスク収納部を有する外装ケースと、ディスク収納部を覆うことができるよう外装ケースに開閉自在に取り付けられたディスク蓋と、ディスク収納部を閉じた状態でディスク蓋をロックすると共にそのロックの解除が可能とされた蓋開閉機構と、を備えた撮像装置において、蓋開閉機構は、ディスク蓋に取り付けられたロック爪と、このロック爪に対して係合・離脱可能とされ且つ外装ケースに移動可能に支持されたストッパ爪と、を有し、このストッパ爪を、外装ケース内のテーブル回転装置及びピックアップ装置の近傍の空き領域に配置したものである。
ここで蓋開閉機構は、例えば外装ケースに固定されたベースプレートに摺動可能に支持されると共にストッパ爪を有するスライド部材と、このスライド部材をロックすると共にロック爪によってロックの解除が可能とされた回動レバーと、スライド部材を移動させてストッパ爪をロック爪から離反させるモータ組立体と、ストッパ爪をロック爪側に付勢するコイルバネと、を有するものである。
【０００８】
この先の出願に係る撮像装置によれば、ディスク蓋にロック爪を取り付け、外装ケースにストッパ爪を移動可能に支持すると共に、そのストッパ爪を、外装ケース内のテーブル回転装置及びピックアップ装置の近傍の空き領域に配置したことにより、外装ケース内の、ディスクドライブ装置と重ならない空き領域を有効に活用することができ、外装ケースを小型化させて撮像装置全体の小型化、薄型化を図ることができると共に、蓋開閉機構をスライド部材と回動レバーとモータ組立体とコイルバネとで構成することにより、比較的簡単な構成でありながら、ロック爪とストッパ爪とのロック及びそのロック解除を簡単且つ確実に行うことができる。
【０００９】
しかしながら、この先の出願に開示されている蓋開閉機構でも、回動レバーとスライド部材とをベースプレートに設けた後で動作上の不具合を生じるおそれがある。
すなわち、この蓋開閉機構のストッパ爪を有するスライド部材を摺動自在としかつ回動レバーを回動自在に支持する、図１５Ｂに示す回動軸５５は、段差を設けた頭部を一体に設けた軸からなるものである。そして、回動レバー４９には回動軸５５の挿通孔、スライド部材４８には摺動のための長孔、ベースプレート５１に回動軸５５を立設するための挿通孔が形成される。
そして、図１５Ａに示すように、回動レバー４９とベースプレート５１との間にスライド部材４８を挟むようにして、回動軸５５を挿通し、ベースプレート５１の他面から突出た回動軸５５の端部を塑性変形させて潰し回動軸５５を固定する。このため、端部を大きな力で塑性変形させると回動軸５５端部での潰れる領域が大きくなり、ベースプレート５１を変形させると共に、スライド部材４８をも変形させ、スライド部材４８の摺動動作だけでなく、回動レバー４９の回動動作にも支障となるおそれがあった。
【００１０】
かかる点に鑑み本発明は、ディスク状記録媒体の着脱・収納に係る蓋体のロック状態又はロック解除状態を確実に低コストで実現できる開閉機構を備えたディスク状記録媒体の記録再生装置を提案するものである。
【課題を解決するための手段】
【００１１】
上記課題を解決するため本発明は、ターンテーブルに着脱自在に装着されるディスク状記録媒体を回転駆動するテーブル回転装置と、このテーブル回転装置により回転駆動されているディスク状記録媒体に対して情報信号を記録又は再生するピックアップ装置と、このピックアップ装置とテーブル回転装置とターンテーブルが配設されるディスク収納部とを有する外装ケースと、この外装ケースに、ディスク収納部を覆い開閉自在に取り付けられたディスク蓋と、ディスク収納部を閉じた状態でディスク蓋をロック状態にすると共に、このロック状態の解除を行うことができる蓋開閉機構と、を備えたディスク状記録媒体の記録再生装置において、蓋開閉機構を、ディスク蓋に取り付けられたロック爪と、外装ケースに対して固定されるベースプレートと、このベースプレートに設けられるガイドピンにより摺動自在とされストッパ爪と係合片を有するスライド部材と、このスライド部材上に配され、ベースプレートに設けられスライド部材の摺動ガイドをなす回動軸と、この回動軸の周りに回動自在とされ、係合片と係合しスライド部材の移動を制限するときディスク蓋のロック状態を解除とし、ロック爪により入力部が押圧され係合片の係合が解除されてロック爪によりディスク蓋がロック状態とされる回動レバーと、スライド部材を移動させストッパ爪をロック爪から離反させベースプレートに固定されるモータ組立体と、ストッパ爪をロック状態の方向に付勢するコイルバネとを備える係合機構と、から構成してロック爪をストッパ爪に係合・離脱自在とし、係合機構の回動軸を、フランジ部と回転レバーの回動軸部を有する頭部とベースプレートに固定するための軸部とを有し、この回動軸部の径を回転レバーの回動孔径より僅か大きく形成し、回動軸部の長さを回転レバーの厚さより大きく形成したカシメ軸と、軸部が挿入される貫通孔とフランジ部とを有すると共に、カシメ軸とベースプレートとの間に配設されスライド部材のガイドとなされる摺動軸部を有し、この摺動軸部の径をスライド部材の長孔の幅より僅か大きく形成し、摺動軸部の長さをスライド部材の厚さより大きく形成した中間軸とから構成したものである。
【００１２】
このように構成した本発明ディスク状記録媒体の記録再生装置によれば、中間軸のフランジ部とかしめ軸のフランジ部との間に回動レバーが配され、回動レバーの厚さよりもかしめ軸の回動軸部の長さの方を大きく形成したので回動レバーの回動を円滑に行うことができ、中間軸のフランジ部の厚み分だけ回動レバーとスライド部材との間に間隙が形成されるため、回動軸の端部のかしめによって回動レバーの動作に支障を生じさせることがなくなる。
【発明の効果】
【００１３】
本発明ディスク状記録媒体の記録再生装置は、ディスク状記録媒体の着脱・収納に係る蓋体のロック状態又はロック解除状態を、回動レバーの回動軸を単純な形状の２つの部品構成として確実な回動動作を実現すると共に、かしめ１回で回動レバーとスライド部材とをベースプレートに設けることができるため作業工数の低減を図ることができる。
【発明を実施するための最良の形態】
【００１４】
以下、本発明ディスク状記録媒体の記録再生装置を実施するための最良の形態の例を、図１〜図１４を参照して説明する。なお、以下では、この図１〜図１４を説明するに図１５に対応する部分には同一の符号を付し説明する。
【００１５】
本例のディスク状記録媒体の記録再生装置として、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタなどの表示装置に表示できるようにした撮像装置（以下、「ディスク式撮像装置」という）を例に説明する。
なお、本発明のディスク状記録媒体としては、ＤＶＤに限定されるものではなく、ＣＤ−ＲＯＭその他の記録可能な光学ディスクを用いることができることは勿論のこと、例えば光磁気ディスク、磁気ディスクなどのように他の記録方式のディスク状記録媒体も適用できるものである。
【００１６】
本例のディスク式撮像装置は、着脱自在に装着されるＤＶＤを回転駆動して情報信号の記録（書き込み）及び再生（読み出し）を行うディスクドライブ装置と、このディスクドライブ装置の駆動制御などを行う図示しない制御回路と、被写体の像を光として取り込んでＣＣＤに導くレンズ装置と、これらディスクドライブ装置などが収納される外装ケースと、この外装ケースに回動自在に取り付けられてディスク収納部を開閉自在に覆うディスク蓋などから構成される。
【００１７】
先ず、本例のディスク式撮像装置を図２〜図７を参照して説明する。
図２はディスク式撮像装置を前面上方から見た外観斜視図であり、図２において、１はディスク式撮像装置、４はレンズ装置、５は外装ケース、１０は表示装置側パネル、１１はフロントパネル、１２はリアパネル、１５は対物レンズである。また、１６はビューファインダ、１８はアクセサリシューキャップ、２０はリモコン受光部、２１は外部接続用の端子カバー、２２は内蔵マイクロフォン、２８は回動自在とされ内側に後述する液晶モニタ２９が設けられている表示装置、１３はフラッシュである。ここで、表示装置側パネル１０、フロントパネル１１、リアパネル１２は、後述するディスク側パネル８と中央部パネル９と共に、ディスク式撮像装置１の外面の外装ケース５を構成している。
【００１８】
図３はディスク式撮像装置１を図２とは反対側の背面から見た外観斜視図であり、図３において７はディスク蓋、８はディスク側パネル、９は中央部パネル、２４は電源バッテリー、６０はハンドストラップ、６４は電源スイッチ、６７はフォトボタン、６８はズームレバー、６９はフラッシュボタンである。ここで、ディスク側パネル８、中央部パネル９は、表示装置側パネル１０、フロントパネル１１、リアパネル１２と合わせて外装ケース５を構成している。
図４はディスク式撮像装置１を背面の表示装置２８の側から見た外観斜視図であり、図４において２９は液晶モニタ、３０はパネルケース、３０ａはズームボタン、３１はパネル支持部、３４はバッテイ残量確認表示ボタンである。
【００１９】
図５はディスク式撮像装置１のアクセサリシューキャップ１８と表示装置２８を開き前面のディスク蓋７の側から見た外観斜視図であり、図５において１７はアクティブインターフェースシュー、４７は蓋開スイッチ、であり、４３はディスク蓋７とディスク側パネル８の円弧状をなす部分によって構成される保持のためのグリップ部である。
図６はディスク式撮像装置１の表示装置２８を下にして背面の底部側から見た外観斜視図であり、図６において１７ｃはバッテリー取外しボタンである。
また、図７は図５に示すディスク式撮像装置１のディスク蓋７を開けた状態を示し、図７Ａはディスク装着前、図７Ｂはディスク装着の途中を示した外観斜視図である。図で、ディスク蓋７の７ａは平面部、７ｂ周面部、７ｃは方形部であり、ディスク側パネル８の８ａは側面部、８ｂは周縁部である。また、３５はデーブル回転装置、３６はターンテーブル、３９は蓋回動軸部、４６ａ，４６ｂはロック爪である。
【００２０】
外装ケース５は、図２及び図３に示すように、三重に重ね合わせるように組み合わされるディスク側パネル８、中央部パネル９及び表示装置側パネル１０と、レンズ装置４の光軸方向の前後に配置されてこれらのパネル８，９及び１０と組み合わされるフロントパネル１１及びリアパネル１２と、中央部パネル９の内側に配置される図に表れない仕切りパネルとからなり、これらのパネル８〜１２によって中空の筐体が構成されている。
そして、ディスク蓋７の開状態を示す図７Ａのように、仕切りパネルのディスク側パネル８側の面に、ディスクドライブ装置３が図示しないマウントインシュレータを介して弾性的に支持されている。これらのパネル８〜１２は、互いに重ね合わされた適当な部分において、あるいは他の部材を介して固定ネジからなる固着手段によって組立・分解可能に構成されている。
【００２１】
レンズ装置４は、図２に示すように、外装ケース５の上部に内蔵された状態で固定されていて、その対物レンズ１５がフロントパネル１１の上部を前方に貫通して前面に露出されている。外装ケース５の内部において、レンズ装置４の後方に図示しないＣＣＤが配置され、そのＣＣＤの後方にビューファインダ１６が配置されている。
ビューファインダ１６は外装ケース５のリアパネル１２の上部に露出されていて、ファインダ移動機構によってレンズ装置４の光軸方向へ所定距離だけ進退移動可能に構成されている。
【００２２】
さらに、外装ケース５の上部には、図２に示すように、４チャンネルステレオで集音できる内蔵マイクロフォン２２が設けられ、この内蔵マイクロフォン２２とビューファインダ１６との間には、図５に示すように、ビデオライトや外付けマイクロフォンなどのアクセサリーが着脱自在に装着されるアクティブインターフェースシュー１７が設けられる。アクティブインターフェースシュー１７は通常、柔軟な樹脂によるアクセサリシューキャップ１８を装着し覆っておくようにする。
【００２３】
また、フロントパネル１１の前面には、図２に示すように、上から順にレンズ装置４の脇でディスク蓋７側にフラッシュ１３が設けられ、レンズ装置４の下側にはリモコン操作のための受信部となるリモコン受光部２０と、さらにその下にマイク端子が配置されている。このリモコン受光部２０は、焦点を自動的に調整するなどのために用いられる赤外線を発光する赤外線発光部も兼ねている。また、マイク端子は映像端子と音声端子とからなり、これらの端子は端子カバー２１によって開閉可能に覆われている。
【００２４】
外装ケース５のリアパネル１２には、図３及び図４に示すように、電源バッテリー２４が着脱自在に装着されるバッテリー収納部２５が設けられている。バッテリー収納部２５は、リアパネル１２の背面及び下面に開口されていて、電源バッテリー２４は後方斜め下方から差し込み、また図６に示すバッテリー取り出しボタン１７０ｃを押しながら同方向に引き出すことにより取り出すことができるようになされる。
【００２５】
外装ケース５の表示装置側パネル１０には、図４及び図５に示すように、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
パネル支持部３１は、垂直軸を回動中心としてパネルケース３０を水平方向に略９０度回動自在とする水平回動機能と、水平軸を回動中心としてパネルケース３０を前後方向に略１８０度傾斜自在とする前後回動機能とを有している。この機能により表示装置２８は、図２及び図３に示す収納状態と、図４に示すパネルケース３０を９０度回動させて液晶モニタ２９を後方へ対向させた状態と、図４の状態からパネルケース３０を１８０度回動させて液晶モニタ２９を前方へ対向させた状態と、それらの中間位置の状態とを任意に取ることができる。
さらに、表示装置側パネル１０には、図４に示すように、パネルケース３０によって開閉自在に覆われるバッテリー残量確認表示ボタン３４などが設けられている。
【００２６】
外装ケース５のディスク側パネル８は、図７及び図８に示すように、ディスク蓋７が取り付けられる側面部８ａと、この側面部８ａの外縁を囲うように連続する周縁部８ｂとからなっている。側面部８ａの前面側にディスク収納部６が開口されている。ディスク側パネル８の上面の略中央部から前面部を経て底面側に至る部分は、略半円形をなす枠状に形成されている。
【００２７】
ディスク収納部６は、ディスクドライブ装置３の一部を露出させるための開口部を有する一定領域からなり、この実施例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。なお、テーブル回転装置３５は、図９及び図１０に示すように、前述した仕切りパネルに弾性支持されたメカシャーシに固定されている。
【００２８】
このテーブル回転装置３５が配置されたディスク収納部６は、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部７ａと、この平面部７ａの外周縁の略全周に亘って連続する周面部７ｂを有している。ディスク蓋７の周面部７ｂは、ディスク側パネル８のディスク収納部６の外周側切欠き部と嵌り合うように構成されている。
【００２９】
この実施例で示すディスク蓋７は、外周縁一周の略５／６（約３００度）が円形とされたシェル形をなしていて、残りの部分が直線からなる方形部７ｃとされている。この方形部７ｃには、ディスク蓋７を開閉動作させるための回動中心となる蓋回動軸部３９が取り付けられる。蓋回動軸部３９は、図示しないが、方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３９には、ディスク蓋７の最大開き角度（例えば、９０度）を設定するストッパ部が設けられている。
【００３０】
このような蓋回動軸部３９が、その支持軸の軸方向を上下方向に設定してディスク側パネル８に取り付けられている。これにより、ディスク蓋７が蓋回動軸部３９を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００３１】
このディスク側パネル８と重ね合わされる中央部パネル９は、ディスク側パネル８の上面部８ｂと表示装置側パネル１０の間に介在される上面部９ａと、この上面部９ａから前側に連続して前面部８ｄとフロントパネル１１の間に介在される前面部９ｂとからなっている。そして、ディスク側パネル８及び中央部パネル９の円弧状をなす部分によってディスク式撮像装置１を握って保持するためのグリップ部４３が構成されている。
このような中央部パネル９とディスク側パネル８の間には、ディスク蓋７の蓋開閉機構が配設されている。この蓋開閉機構は、ディスク収納部６を閉じた状態のディスク蓋７を、その閉じ状態においてロックする機能と、そのロックを解除する機能とを有するものである。この蓋開閉機構については、後に詳細に説明する。
【００３２】
また、ディスク側パネル８には、図３，図５及び図６に示すように、ディスク蓋７を囲うようにハンドストラップ６０が取り付けられている。ハンドストラップ６０は、外装ケース５の把持部とされたグリップ部４３（図５参照）を握るユーザーの手の部分を支えて、ディスク式撮像装置１の取り落としなどを防止するものである。
このハンドストラップ６０は、両端がディスク側パネル８に固定された支持ベルト６１と、この支持ベルト６１に装着されてユーザーの手の甲部分に当接される保護パッド６２から構成されている。支持ベルト６１の一端はディスク側パネル８の前側下部に固定された取付金具６３に連結され、他端はディスク側パネル８の後側中途部に設けた貫通穴から内側に挿入されて、その内部に取り付けられた取付金具に固定されている。
【００３３】
ディスク側パネル８の後部には、図３及び図６に示すように、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。
モード切換ダイヤル６５は録画などの動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００３４】
さらに、ディスク側パネル８の後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時などにおいて画像を拡大するためのもので、その操作量に応じて一定の範囲内で倍率を無段階に調整することができる。
【００３５】
なお、上述外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金などの金属を用いることもできる。
【００３６】
また、上述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００３７】
図示しないが、外装ケース５の第１の室にはディスクドライブ装置３が収納され、第２の室にはレンズ装置４と制御回路部などが収納されている。そのため、仕切りパネルの一面側にはディスクドライブ装置３を支持するための複数個の支持突起が設けられ、他面側にはレンズ装置４やプリント基板などを支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板などによって構成される。
【００３８】
図１０及び図１１などに示すように、ディスクドライブ装置３は、仕切りパネルに取り付けられるメカシャーシと、このメカシャーシに固定されるテーブル回転装置３５と、ピックアップ装置の一具体例を示す光学ピックアップ装置などを備えて構成されている。メカシャーシは導電性の板材で形成されていて、絶縁性材料で形成された弾性体からなる複数個のマウントインシュレータを介して仕切りパネルに弾性的に支持されている。
【００３９】
このようなインシュレータを介して仕切りパネルに取り付けられたメカシャーシは、十分に大きな強度を有する枠状の部材によって構成されている。メカシャーシと仕切りパネルの導体部分は、図示しないアース部材によって互いに導通されていて、静電気などを外部に放出し易い構造とされている。このメカシャーシに搭載されたテーブル回転装置３５は、メカシャーシに固定されたスピンドルモータと、このスピンドルモータの回転部に固定されたターンテーブル３６とから構成されている。
【００４０】
ターンテーブル３６は、ＤＶＤ２のセンタ穴が嵌合される嵌合部３６ａと、センタ穴の周縁部が載置される載置部３６ｂとからなっている。さらに、ターンテーブル３６の嵌合部３６ａには、ＤＶＤ２のセンタ穴の周縁部に係合してＤＶＤ２を保持する複数個の係合爪３６ｃが周方向に複数個設けられている。各係合爪３６ｃはスプリングによって半径方向外側へ付勢されており、このスプリングのバネ力によってＤＶＤ２が嵌合部３６ａに位置決め固定される。
【００４１】
また、光学ピックアップ装置は、ＤＶＤ２の情報記録面に対向されるピックアップレンズを有する二軸アクチュエータと、この二軸アクチュエータが搭載されたスライド部材などを備えて構成されている。スライド部材は、例えば２本のガイド軸にガイドされて移動自在とされている。２本のガイド軸は、スピンドルモータを挟んで互いに平行とされており、一方のガイド軸の近傍にピックアップ移動装置が設けられる。
【００４２】
図示しないが、ピックアップ移動装置は、スライド部材に取り付けられた送りナットに係合される送りネジ軸と、この送りネジ軸を回転軸とした送りモータとから構成されている。送りネジ軸は光学ピックアップ装置のガイド軸と平行に設定され、メカシャーシに回転自在に支持されている。かくして、送りモータを駆動して送りネジ軸を回転することにより、その送りネジ軸の回転方向に応じて光学ピックアップ装置がターンテーブル３６に近づく方向とターンテーブル３６から離れる方向とに選択的に移動される。これらメカシャーシとテーブル回転装置３５と光学ピックアップ装置とピックアップ移動装置とその他の関連機構によってディスクドライブ装置３が構成されている。
【００４３】
このような構成を有するディスクドライブ装置３が取り付けられた仕切りパネルを外装ケース５内の所定位置に固定することにより、図７に示すように、テーブル回転装置３５のターンテーブル３６とその周辺部分がディスク側パネル８のディスク収納部６に配置される。このディスク収納部６がディスク蓋７によって開閉され、そのディスク蓋７のロック及びそのロック解除が蓋開閉機構によって行われる。
【００４４】
蓋開閉機構は、図７、図９及び図１０などに示すように、ディスク蓋７に固定されるロック部材４６と、ディスク側パネル８に設けられる蓋開閉機構とからなり、この蓋開閉機構はディスク側パネル８側の部材であるベースプレート５１に摺動可能に取り付けられる操作部材４７と、スライド部材４８及び回動レバー４９と、スライド部材４８を進退動作させるモータ組立体５０と、回動レバー４９及びモータ組立体５０を支持するベースプレート５１などから構成されている。
【００４５】
ロック部材４６は、ディスク蓋７に固定するための固定部と、この固定部に連続して一体に形成された一対のロック爪４６ａ，４６ｂとからなり、板金製の部材によって形成されている。一対のロック爪４６ａ，４６ｂは、互いに所定の間隔をあけて配置されていると共に、固定部から立ち上がるように形成されている。この固定部をディスク蓋７内面の蓋回動軸部３９から最も離れた先端部に固定することにより、ロック部材４６がディスク蓋７と一体的に構成されている。さらに、一対のロック爪４６ａ，４６ｂは、ディスク蓋７の周面部７ｂとの間に所定の隙間をあけて略平行に配置されており、それぞれの先端部には同一方向の側方に突出する鉤部が設けられている。この実施例では、一対のロック爪４６ａ，４６ｂの鉤部は、下方へ突出するように形成されている。
【００４６】
操作部材４７は、ディスク側パネル８の上面部８ｂにおいて、前後方向へ摺動自在に取り付けられている。操作部材４７は、上面部８ｂの長溝５２ａ内に摺動自在に係合された操作部４７ａと、この操作部４７ａと一体に形成されると共に上面部８ｂを貫通して第１の室内に突出されたアーム部４７ｂとを有している。操作部材４７のアーム部４７ｂとディスク側パネル８の上面部８ｂとの間にはコイルバネ５３が圧縮された状態で介在されている。このコイルバネ５３のバネ力により、操作部材４７は常時前側、すなわち、ロック部材４６のある側に付勢されている。このコイルバネ５３のバネ力に抗して操作部４７ａを後方へ移動させることにより、後述するように蓋開閉機構が開放動作を開始する。そのため、操作部材４７の近傍には、この操作部材４７の開放動作を検出するための検出スイッチ４４が設けられている。
【００４７】
スライド部材４８には、一対のストッパ爪４８ａ，４８ｂとバネ受け片４８ｄと操作部４８ｆと操作凸部４８ｇなどが設けられている。
ストッパ爪４８ａ，４８ｂは、スライド部材４８の平板状の基部から同一方向へ立ち上げるように形成され、また操作部４８ｆは基部の一端側からストッパ爪４８ａ，４８ｂとは反対方向へ立ち下げるように形成されており、その基部にはスライド部材４８のスライド方向に延在された一対のガイド溝４８ｃ，４８ｃが設けられている。
【００４８】
バネ受け片４８ｄは、後述する回動レバー４９のばね受け片４９ｂとの間にコイルバネ５６を設けるために用いるため、基部の操作部４８ｆ側の縁辺を立ち上げて鉤状部を設けられ、操作凸部４８ｇはスライド部材４８の基部からＬ字状に突き出すように、後述する検出スイッチ８７の操作片８７ａと係合するように設けられる。
スライド部材４８には、また一対のガイド溝４８ｃ，４８ｃが設けられ、これらガイド溝４８ｃ，４８ｃに後述するベースプレート５１の正面部５１ａに固定された一対のガイドピン５４ａ，５４ａがそれぞれ摺動自在に係合されている。る。
【００４９】
回動レバー４９の長手方向の一端には、ロック部材４６の一方のロック爪４６ｂが当接される入力部４９ａが設けられている。この回動レバー４９の入力部４９ａは、一方のロック爪４６ｂと対向するように配置される。また、回動レバー４９の長手方向の他端にはバネ受け片４９ｂが形成されていて、このバネ受け片４９ｂにはコイルバネ５６の一端が係止されている。コイルバネ５６の他端はスライド部材４８に設けたバネ受け片４８ｄに引っ張り状態で係止されており、このコイルバネ５６のバネ力によってスライド部材４８が常時下方（一方のストッパ爪４８ａから他方のストッパ爪４８ｂに向かう方向）へ付勢されている。そして、コイルバネ５６のバネ力による回動レバー４９の回動動作を制限するため、スライド部材４８にはストッパ片４８ｅが設けられている。
【００５０】
ベースプレート５１は、ディスク側パネル８の側面部８ａ内面の、ディスク収納部６を避けた空きスペースに固定ネジからなる固着手段によって固定されている。このベースプレート５１は、ディスク側パネル８の前面部８ｄに対向される正面部５１ａと、この正面部５１ａに連続すると共に９０度折り曲げられてメカシャーシの前側平面に対向される架橋部５１ｂを有している。また、ベースプレート５１の正面部５１ａにはガイドピン２つの５４ａ，５４ａと、このガイドピン２つの５４ａ，５４ａの間に回動軸５５が設けられる。
そして、ガイドピン２つの５４ａ，５４ａは、スライド部材４８の２つの長孔によりスライド部材４８を、そのスライド方向とされた上下方向へ所定距離だけ移動可能に支持されている。
また、スライド部材４８の基部の略中央部には、正面部５１ａに固定された回動軸５５によって回動レバー４９が回動自在に支持されている。回動軸５５はスライド部材４８の長穴を貫通しており、これによりスライド部材４８の移動を阻害しないようになされている。
【００５１】
この回動軸５５は、図１５Ｂに示すように、かしめ軸５５ａと、かしめ軸５５ａの挿通孔５５-6を有する中間軸５５ｂとから構成されるものである。
かしめ軸５５ａは、頭部をなすフランジ部５５-1と回動レバー４９の回動軸部５５-2とベースプレート５１に設けられる孔に挿通され、立設後に一端部がかしめにより固定される軸部５５-3とがそれぞれの軸心を一にして一体にした形状としたものである。  
また、中間軸５５ｂは、フランジ部５５-4とスライド部材４８でのスライドピンをなす軸部５５-5とがそれぞれの軸心を一にして一体にし、軸心に軸部５５-3を挿通する貫通孔５５-6を設けた形状としたものである。  
【００５２】
このように構成されたベースプレート５１によれば、図１Ａに示すように、先ずかしめ軸５５ａの回動軸部５５-2を回動レバー４９に挿通してから、かしめ軸５５ａの軸部５５-3を中間軸５５ｂに挿通し、さらにスライド部材４９の長孔に中間軸５５ｂの軸部５５-5を挿通する。そして、かしめ軸５５ａの軸部５５-3をベースプレート５１の貫通孔に挿通後突き出し端をかしめて塑性変形させ固定する。このとき、回動軸５５をかしめ軸５５ａと中間軸５５ｂとから構成したので、かしめのときの力が多少大きくてもかしめ軸５５ａのフランジ部５５ａと中間軸５５ｂのフランジ部５５-4との間隙が一定に保たれるため、従来のようにスライド部材48の変形により、回動レバー４９の回動が妨げられるようなことがなく、確実な回動動作を実現することができる。
また、かしめ１回で回動レバーとスライド部材とをベースプレートに設けることができるため組立における作業工数の低減を図ることができる。
なお、図１例ではスライド部材４８は中間軸５５ｂとベースプレート５１との間に配設するように説明したが、スライド部材４８を別の中間軸部材により一定の間隙を設け、スライド部材４８の摺動のときの遊びを確保するようにしてもよいのは勿論である。
【００５３】
そして、ベースプレート５１の架橋部５１ｂにはモータ組立体５０が固定される。
モータ組立体５０は、略直方体をなすモータハウジング８１内に駆動モータと減速歯車とを収納し、図９及び図１０に示すように、カムピン８４を立設させた円盤状の回転カム８２をモータハウジング８１の側面に露呈するように設け、軸部８２ａを回転中心として図９及び図１０に示す矢印の半時計回りに回転できるようにしたものである。
そして、回転カム８２の上面には、スライド部材４８を進退動作させるカムピン８４が設けられている。カムピン８４は、回転カム８２の回転により移動するもので、その回転軌跡上にはスライド部材４８の操作部４８ｆが配置されている。
【００５４】
また、回転カム８２の周縁部に駆動モータ８０の動作を制御する検出スイッチ８６を配設すると共に、スライド部材４９の動作を検出するための検出スイッチ８７を回転カム８２が露呈されているモータハウジング８１の面に設ける。
そして、スライド部材４９の摺動動作に伴い操作凸部４９ｇが操作部８７ａを作動させ検出スイッチ８７をオン・オフし、また、回転カム８２のカムピン８４が操作片８６ａを作動させ検出スイッチ８６をオン・オフし駆動モータの動作を制御するようにしている。
【００５５】
かくして、ディスク蓋７が閉じられる直前の状態では、ロック部材４６の一対のロック爪４６ａ，４６ｂには、最も上方に移動しているスライド部材４８の一対のストッパ爪４８ａ，４８ｂが対向される。この状態からロック部材４６をベースプレート５１側へ移動することにより、一対のロック爪４６ａ，４６ｂの各斜面部が一対のストッパ爪４８ａ，４８ｂの上端部を下方へ押圧する。この押圧力がコイルバネ５６のバネ力に打ち勝ってスライド部材４８を下方へスライドさせることにより、各ロック爪４６ａ，４６ｂが各ストッパ爪４８ａ，４８ｂを乗り越える。その結果、対応するロック爪４６ａ，４６ｂとストッパ爪４８ａ，４８ｂが互いに噛み合わされ、ロック部材４６がスライド部材４８によってロックされる。この状態が、図１１に示す状態である。
【００５６】
これら一対のロック爪４６ａ，４６ｂと一対のストッパ爪４８ａ，４８ｂとの係合状態を確保するため、ディスク側パネル８の前面部には、一対のロック爪４６ａ，４６ｂが挿通される一対の挿通穴が設けられている。従って、ディスク蓋７の開閉の際には、これら挿通穴からロック爪４６ａ，４６ｂが出し入れされる。
【００５７】
蓋開閉機構が、図１１に示す状態から図１２に示す状態に変化し、コイルバネ５６のバネ力に抗して当該コイルバネ５６を伸長させてスライド部材４８が下方へ移動すると、一対のストッパ爪４８ａ，４８ｂが一対のロック爪４６ａ，４６ｂから離れる。これにより、一対のロック爪４６ａ，４６ｂと一対のストッパ爪４８ａ，４８ｂとのロックが解除され、その結果、ディスク蓋７の開放操作が可能となる。そこで、ディスク蓋７のロック部材４６近傍を持って外側へ回動させることにより、図７に示すように、ディスク蓋７が後部の蓋回動軸部３９を回動中心として前方から側方に回動される。その結果、ディスク蓋７が、前開きにより開放されて、ディスク収納部６が露出される。
【００５８】
次に、ディスク蓋７を再び閉じるときには、図１３に示すように、ディスク蓋７を外装ケース５に近づける。そして、一対のロック爪４６ａ，４６ｂを一対の挿通穴５７ａ，５７ｂに貫通させてスライド部材４８に近づけると、一方のロック爪４６ｂが、これに対向されている回動レバー４９の入力部４９ａに当接される。このとき、コイルバネ５６のバネ力に抗してさらにロック爪４６ａ，４６ｂを押圧することにより、入力部４９ａがストッパ片４８ｅから外れるためにスライド部材４８がフリーの状態となる。この状態が、図１４に示す状態である。そして、スライド部材４８がコイルバネ５６のバネ力によって上方に移動し、一対のロック爪４６ａ，４６ｂが一対のストッパ爪４８ａ，４８ｂに係合されて、図１１に示すロック状態に戻る。
【００５９】
このような蓋開閉機構の開放動作は、ベースプレート５１に搭載されるモータ組立体５０によって実行される。モータ組立体５０では、例えば、次のようにしてスライド部材４８のスライド動作が実行される。モータ組立体５０の動作を図９〜図１４を参照して説明する。
【００６０】
図９はディスク蓋７が閉止となっている初期状態を示す図（図１１参照）で、この状態ではスライド部材４８は図に示す右端に移動済みで駆動モータは停止しており、回転カム８２のカムピン８４はスライド部材４８の操作部４８ｆとは係合しておらず、検出スイッチ８６，８７の内、操作片８７ａのみがスライド部材４８の操作凸部４８ｇにより検出スイッチ８７をオンさせた状態となる。
また、このときスライド部材４８のストッパ片４８ｅと回動レバー４９の入力部４９ａとは互いの面同士で係合している。
すなわち、スライド部材４８は、上部位置にあり、蓋開閉機構は、ロック部材４６をロックしているロック状態か、又はこれと同様の状態となっている。
【００６１】
図９の状態から、ユーザーが操作部材４７を開放方向（外装ケース５の前側から後側に向かう方向）へスライドすることにより、操作部材４７の前記動作が検出スイッチ４４によって検出され、その検出信号に基づく制御信号が駆動モータに供給される。その結果、駆動モータの駆動が開始され、回転カム８２が反時計方向に回転されて、カムピン８４が、図１０に示すように操作部４８ｆを図に示す左側に押してスライド部材４８を摺動させる。この結果、ロック爪４６ａ，４６ｂとの係合からストッパ爪４８ａ，４８ｂが外れる方向にスライド部材４８を移動させ（図１２参照）、検出スイッチ８７がオフの状態とする。
【００６２】
そして、この過程でスライド部材４８のストッパ片４８ｅが回動レバー４９の入力部４９ａから外れ、回動レバー４９が、図１０に示す矢印の方向に回動してストッパ片４８ｅに回動レバー４９の端部が当接し（図１３参照）、さらに、カムピン８４の中心と軸部８２ａとを結ぶ線がベースプレート５１に正面部５１ａと略平行をなすとき、スライド部材４８の操作部４８ｆを図１０に示す最も左の位置まで移動させる。
【００６３】
さらに回転カム８２が反時計方向に回転し、カムピン８４が図１０に示す状態から下側に移動したとき、スライド部材４８の操作部４８ｆはコイルバネ５６により図１０に示す右側方向に付勢されているため、徐々に右方向に移動する。しかし、一方コイルバネ５６は回動レバー４９もストッパ片４８ｅに回動レバー４９が当接するように付勢するため、結局ストッパ部材はストッパ片４８ｅが回動レバーに係合した状態で保持される（図１３参照）。
【００６４】
そして、さらに回転カム８２が反時計方向に回転し、検出スイッチ８６をカムピン８４でオン動作させてから所定の角度だけ回転カム８２を回動させ、図９に示すカムピン８４の位置として駆動モータを停止する。すなわち、この状態ではスライド部材４８は、図１０に示す左側で、ロック爪４６ａ，４６ｂと係合が解除され、検出スイッチ８６，８７の何れもがオフの状態となされる。
この状態がディスク蓋７が、開放のときのロック爪４６ａ，４６ｂがストッパ爪４８ａ，４８ｂとの係合から解放されたときの蓋開閉機構の、スライド部材４８と回動レバー４９とカムピン８４と検出スイッチ８６，８７と操作片８６ａ，８７ａの状態である（図１３参照）。
【００６５】
この状態からディスク蓋７が人手で押し込まれると、図１０及び図１３に示すように、スライド爪４８ａ，４８ｂが解放状態で保たれているので、ロック爪４６ａ，４６ｂが障害なくスライド爪４８ａ，４８ｂの内側に入り込むことができ、先ず図１４に示しようにロック爪４６ｂと回動レバー４９の入力部４９ａに当接してからこの入力部４９ａを押し込んで、回動レバー４９をスライド部材４８のストッパ片４８ｅとの係合状態から解除する。
これにより、スライド部材４８は、図１０及び図１４の図に示す右側にコイルバネ５６の付勢力により移動すると共に、ストッパ爪４８ａ，４８ｂがそれぞれロック爪４６ａ，４６ｂと係合するようになされる。そして、図９及び図１１に示す初期の状態に戻る。
【００６６】
このような構成を有するディスク式撮像装置１によれば、例えば、次のようにしてディスク蓋７の開閉動作を行うことができる。まず、ディスク式撮像装置１の電源ボタン６４を押圧してオンにし、電源が入力された状態にする。
【００６７】
このときのディスク式撮像装置１が、図２及び図３に示すように、ディスク蓋７が閉じられている状態にある場合には、ディスク蓋７に固定されているロック部材４６の一対のロック爪４６ａ，４６ｂは、ディスク側パネル８に設けた一対の挿通穴を貫通して外装ケース５内に入り込み、蓋開閉機構のスライド部材４８に設けた一対のストッパ爪４８ａ，４８ｂに係合されてロック状態にある。このときの蓋開閉機構の状態を示す図が、図９及び図１１である。この場合には、スライド部材４８によるロック部材４６のロック状態が保持されているため、ユーザーがディスク蓋７を開放することができない。
【００６８】
このようなディスク蓋７の閉止状態において、外装ケース５のグリップ部４３に配設されている操作部材４７を開放操作することにより、ディスク蓋７の開放動作が開始される。まず、操作部材４７を開放方向である後方にスライドさせることにより、操作部材４７の近傍に配置されている検出スイッチ４４によってその開放動作が検出される。この検出スイッチ４４の検出信号に基づいて、モータ組立体の駆動モータの駆動が開始される。そして、駆動モータの駆動によって回転カム８２が、図９に示す状態から図１０の状態を経て変化することにより、回転カム８２のカムピン８４がスライド部材４８の上部に設けた操作部４８ｆに当接して押圧する。
【００６９】
このようにカムピン８４によって操作部４８ｆが押圧されると、スライド部材４８が回転カム８２から離れる方向（本実施例では撮像装置の下方）にスライド動作される。このスライド部材４８の移動により、一対のストッパ爪４８ａ，４８ｂが一対のロック爪４６ａ，４６ｂから外れ、スライド部材４８によるロック部材４６のロック状態が解除される。このロック解除状態を示す図が、図１０と図１２である。
【００７０】
その結果、ロック部材４６がフリーな状態となるため、ディスク蓋７は、その回動中心となる蓋回動軸部３９（蓋回動軸部３９の近傍に設けても良い。）に設けられている開放バネのバネ力によって少々開放される。このディスク蓋７の開放状態を示す図が、図１３である。これにより、ユーザーがディスク蓋７を手で開放することができるようになる。そこで、ユーザーがディスク蓋７を手で外側へ押し開くことにより、図７に示すように、ディスク蓋７が開放される。これにより、ディスク収納部６の略中央部に位置するターンテーブル３６に装着されているＤＶＤ２が露出され、ターンテーブル３６へのＤＶＤ２の取り付け、取り外し作業が容易に行えるようになる。
【００７１】
このディスク蓋７の開放時、ディスク蓋７が後部を回動中心として前側から側方へ開放されるのに対して、ハンドストラップ６０を下方へ逃がすことができる。そのため、ハンドストラップ６０が開放動作の妨げとなることがなく、ディスク蓋７をスムースに開放することができる。しかも、ディスク蓋が上側から下方へ開放される形式の撮像装置と比べて、ディスク蓋の開放角度を大きくすることができる（開閉角度を９０度以上に設定することができる。）。そのため、ディスク蓋７がディスク交換の妨げとなることがなく、ディスクの交換作業を容易にすることができる。
【００７２】
また、図７に示すディスク蓋７の開放状態からディスク蓋７を閉じる場合には、ディスク蓋７をディスク側パネル８に近づけてディスク収納部６を閉じるようにする。このとき、ディスク蓋７の内側に固定されたロック部材４６の一対のロック爪４６ａ，４６ｂがディスク側パネル８の一対の挿通穴内に入り込み、ディスク側パネル８に取り付けられている蓋開閉機構のベースプレート５１に支持されている回動レバー４９の入力部４９ａを押圧して後方へ回動させる。これにより、図１４示すように、回動レバー４９の入力部４９ａがスライド部材４８のストッパ片４８ｅから外れるために、スライド部材４８がコイルバネ５６のバネ力によって移動するものとなる。
【００７３】
これにより、スライド部材４８の一対のストッパ爪４８ａ，４８ｂがロック部材４６の一対のロック爪４６ａ，４６ｂに係合される。その結果、ロック部材４６がスライド部材４８によって係合保持され、蓋開閉機構がロックされた状態でディスク蓋７が閉じられる。このロック状態を示す図が、図９と図１１である。
【００７４】
本例のディスク状記録媒体の記録再生装置によれば、ディスク蓋７の蓋開閉機構の動作を簡便な方法により、ディスク状記録媒体の着脱・収納に係る蓋体のロック状態又はロック解除状態を確実に低コストで実現できる開閉機構を備えたものとすることができる。
【００７５】
本発明のディスク状記録媒体の記録再生装置は、上述例に限ることなく本発明の要旨を逸脱することなく、その他種々の構成をとりうることは勿論である。
例えば、前記実施例では、ＤＶＤを記録媒体として用いたディスク式撮像装置に適用した例について説明したが、光磁気ディスクや磁気ディスクなどの他の記録方式のディスク状記録媒体を用いることができる。この場合、これらに使用されるピックアップ装置は、記録媒体の種類に応じて、光磁気ピックアップ装置、磁気ピックアップ装置などとなる。
【図面の簡単な説明】
【００７６】
【図１】本発明のディスク状記録媒体の記録再生装置の実施の形態の一例に係る蓋開閉機構の回動軸の構造を説明する、Ａは組立断面図、Ｂは回動軸の斜視図である。
【図２】本発明のディスク状記録媒体の記録再生装置の実施の形態の一例を示す斜視図である。
【図３】図２例の記録再生装置を後背面から見た斜視図である。
【図４】図２例の記録再生装置を図３とは別の後背面から見た斜視図である（表示装置開）。
【図５】図２例の記録再生装置を前方から見た斜視図である（表示装置開、アクセサリシュー開）。
【図６】図２例の記録再生装置を背面底部から見た斜視図である。
【図７】図５例の記録再生装置でディスク蓋を開状態とし、Ａはディスク収容部を示し、Ｂはディスク装着を説明する見た斜視図である。
【図８】図２例の記録再生装置のディスク側パネルの内側に配設される蓋開閉機構を示す斜視図である。
【図９】図２例の記録再生装置に係る蓋開閉機構の動作を説明するもので、スライド部材の一対のストッパ爪にロック部材の一対のロック爪が係合した状態とモータ組立体の状態を示す斜視図である。
【図１０】図２例の記録再生装置に係る蓋開閉機構の動作を説明するもので、一対のロック爪がスライド部材から抜け出しディスク蓋が開放された状態とモータ組立体の状態を示す斜視図である。
【図１１】図２例の記録再生装置に係る蓋開閉機構の動作を説明するもので、スライド部材の一対のストッパ爪にロック部材の一対のロック爪が係合した状態を示す説明図である。
【図１２】図２例の記録再生装置に係る蓋開閉機構の動作を説明するもので、一対のストッパ爪が一対のロック爪から外れた状態を示す説明図である。
【図１３】図２例の記録再生装置に係る蓋開閉機構の動作を説明するもので、一対のロック爪がスライド部材から抜け出しディスク蓋が開放された状態を示す説明図である。
【図１４】図２例の記録再生装置に係る蓋開閉機構の動作を説明するもので、ディスク蓋の閉操作に伴い一対のロック爪がスライド部材に入り込む状態を示す説明図である。
【図１５】従来の記録再生装置に係る蓋開閉機構の回動軸の構造を説明する、Ａは組立断面図、Ｂは回動軸の斜視図である。
【符号の説明】
【００７７】
７…ディスク蓋、４６ａ，４６ｂ…ロック爪、４８…スライド部材、４８ａ，４８ｂ…ストッパ爪、４９…回動レバー、５１…ベースプレート、５５…回動軸、５５ａ…かしめ軸、５５ｂ…中間軸、５５-1，５５-4…フランジ部、５５-5…軸部
【図１】
2006228290.tif 000003
【図２】
2006228290.tif 000004
【図３】
2006228290.tif 000005
【図４】
2006228290.tif 000006
【図５】
2006228290.tif 000007
【図６】
2006228290.tif 000008
【図７】
2006228290.tif 000009
【図８】
2006228290.tif 000010
【図９】
2006228290.tif 000011
【図１０】
2006228290.tif 000012
【図１１】
2006228290.tif 000013
【図１２】
2006228290.tif 000014
【図１３】
2006228290.tif 000015
【図１４】
2006228290.tif 000016
【図１５】
2006228290.tif 000017